(57)【要約】【課題】遊技機の動作にかかわる電気的制御を実行するための電子部品を実装した遊技制御基板を収納する基板ボックスを備える遊技機において、基板ボックスの放熱を効率よく確実に行うとともに、不正行為を確実に防止する。【解決手段】放熱部７０に、内側にスリット状の内側開口部７６，７６，…を形成する内側遮蔽部７５，７５，…と、外側にスリット状の外側開口部７４，７４，…を形成する外側遮蔽部７３，７３，…と、内側遮蔽部７５，７５，…及び外側遮蔽部７３，７３，…と直交する連接部７７，７７，…と、を備える。また、内側遮蔽部７５，７５，…が外側開口部７４，７４，…の内側に完全に重なるとともに、外側遮蔽部７３，７３，…が内側開口部７６，７６，…の外側に完全に重なり、かつ、内側遮蔽部７５，７５，…と外側遮蔽部７３，７３，…とが壁面の厚さ方向に離間するようにする。【選択図】図５
2008307170.tif 000002
【特許請求の範囲】
【請求項１】
遊技機の動作にかかわる電気的制御を実行するための電子部品を実装した遊技制御基板を収納する基板ボックスを備える遊技機において、
前記基板ボックスの壁面には、内側から外側へ連通する連通孔が形成された放熱部を備え、
前記放熱部は、
該放熱部における前記基板ボックスの内側に形成され、前記連通孔の内側部分をなす複数の内側開口部を形成するように所定間隔をおいて並ぶ複数条の内側遮蔽部と、
該放熱部における前記基板ボックスの外側に形成され、前記連通孔の外側部分をなす複数の外側開口部を形成するように所定間隔をおいて並ぶ複数条の外側遮蔽部と、
前記内側遮蔽部及び前記外側遮蔽部と直交するように接続し、所定間隔をおいて並ぶように複数条形成された連接部と、を備え、
前記内側遮蔽部を前記外側開口部の内側に完全に重なるように形成するとともに、前記外側遮蔽部を前記内側開口部の外側に完全に重なるように形成し、かつ、前記内側遮蔽部と前記外側遮蔽部とが前記壁面の厚さ方向に離間していることを特徴とする遊技機。
【請求項２】
前記内側遮蔽部に、内側へ延出する内側侵入防止壁を形成するとともに、前記外側遮蔽部に、外側へ延出する外側侵入防止壁を形成したことを特徴とする請求項１に記載の遊技機。
【請求項３】
前記放熱部の両端に位置する前記内側侵入防止壁のうち、少なくとも一方が遊技制御基板の近傍まで延出していることを特徴とする請求項２に記載の遊技機。
【請求項４】
前記遊技制御基板は、前記放熱部と対向する部分が開口とされていることを特徴とする請求項１から３の何れか一項に記載の遊技機。
【発明の詳細な説明】
【技術分野】
【０００１】
本発明は、遊技機の動作にかかわる電気的制御を実行するための電子部品を実装した遊技制御基板を収納する基板ボックスを備える遊技機に関する。
【背景技術】
【０００２】
従来、基板収納ケースを二つに分割し、両分割部材の突き合わせ端面部に屈曲した放熱孔を一体成形し、放熱性は損なわずに、針金等を利用した不正を未然に防止する遊技機がある（例えば、特許文献１参照）。
【特許文献１】特開平６−１５４３８９号公報
【発明の開示】
【発明が解決しようとする課題】
【０００３】
近年では、遊技の複雑化によりＣＰＵなどの電子部品にかかる負担が大きくなり、発熱量も大きくなっている。しかし、従来の基板収納ケースでは、両分割部材の突き合わせ端面部にしか放熱部を設けることができず、放熱能力を上げられないという問題がある。また、ファンを設けたり、複数の部材から放熱部を形成したりすることも考えられるが組み付け部品が増えコストがかかってしまう。
【０００４】
本発明の目的は、遊技機の動作にかかわる電気的制御を実行するための電子部品を実装した遊技制御基板を収納する基板ボックスを備える遊技機において、基板ボックスの放熱を効率よく確実に行うとともに、不正行為を確実に防止することである。
【課題を解決するための手段】
【０００５】
以上の課題を解決するため、請求項１に記載の発明は、遊技機の動作にかかわる電気的制御を実行するための電子部品を実装した遊技制御基板を収納する基板ボックスを備える遊技機において、
前記基板ボックスの壁面には、内側から外側へ連通する連通孔が形成された放熱部を備え、
前記放熱部は、
該放熱部における前記基板ボックスの内側に形成され、前記連通孔の内側部分をなす複数のスリット状の内側開口部を形成するように所定間隔をおいて並ぶ複数条の内側遮蔽部と、
該放熱部における前記基板ボックスの外側に形成され、前記連通孔の外側部分をなす複数のスリット状の外側開口部を形成するように所定間隔をおいて並ぶ複数条の外側遮蔽部と、
前記内側遮蔽部及び前記外側遮蔽部と直交するように接続し、所定間隔をおいて並ぶように複数条形成された連接部と、を備え、
前記内側遮蔽部を前記外側開口部の内側に完全に重なるように形成するとともに、前記外側遮蔽部を前記内側開口部の外側に完全に重なるように形成し、かつ、前記内側遮蔽部と前記外側遮蔽部とが前記壁面の厚さ方向に離間していることを特徴とする。
【０００６】
請求項１に記載の発明によれば、放熱部は、内側にスリット状の内側開口部を形成する内側遮蔽部と、外側にスリット状の外側開口部を形成する外側遮蔽部と、内側遮蔽部及び外側遮蔽部と直交する連接部と、を備え、内側遮蔽部が外側開口部の内側に完全に重なるとともに、外側遮蔽部が内側開口部の外側に完全に重なり、かつ、内側遮蔽部と外側遮蔽部とが壁面の厚さ方向に離間しているので、基板ボックスの放熱を効率よく確実に行えるとともに、不正行為を確実に防止できる。すなわち、内側開口部の側部と隣接する外側開口部の側部とが連通して、連通孔が基板ボックスの内側から外側へクランク状に連通するので、内側から外側へ向かって直線状に開口する部分がなく、不正部材の挿入を防止できる。また、連接部により内側遮蔽部と外側遮蔽部とが接続されるので、連通孔が升目状となり、強度が高くなる。また、一体成形（食いきり）が可能であり、製造のコストが増加することがない。
【０００７】
請求項２に記載の発明は、請求項１に記載の遊技機であって、前記内側遮蔽部に、内側へ延出する内側侵入防止壁を形成するとともに、前記外側遮蔽部に、外側へ延出する外側侵入防止壁を形成したことを特徴とする。
【０００８】
請求項２に記載の発明によれば、内側遮蔽部に、内側へ延出する内側侵入防止壁を形成するとともに、外側遮蔽部に、外側へ延出する外側侵入防止壁を形成したので、ピアノ線などの線材を斜めに侵入させる行為を防止できる。
【０００９】
請求項３に記載の発明は、請求項２に記載の遊技機であって、前記放熱部の両端に位置する前記内側侵入防止壁のうち、少なくとも一方が遊技制御基板の近傍まで延出していることを特徴とする。
【００１０】
請求項３に記載の発明によれば、放熱部の両端に位置する内側侵入防止壁のうち、少なくとも一方が遊技制御基板の近傍まで延出しているので、螺旋状に曲げた線材などを不正に侵入させる行為を防止できる。
【００１１】
請求項４に記載の発明は、請求項１から３の何れか一項に記載の遊技機であって、前記遊技制御基板は、前記放熱部と対向する部分が開口とされていることを特徴とする。
【００１２】
請求項４に記載の発明によれば、遊技制御基板は、放熱部と対向する部分が開口とされているので、放熱部から線材を挿入されても遊技制御基板に影響が及ぶことがなく、不正に操作されることがない。また、通気性が高まり、効率よく放熱することができる。
【発明の効果】
【００１３】
本発明によれば、放熱部は、内側にスリット状の内側開口部を形成する内側遮蔽部と、外側にスリット状の外側開口部を形成する外側遮蔽部と、内側遮蔽部及び外側遮蔽部と直交する連接部と、を備え、内側遮蔽部が外側開口部の内側に完全に重なるとともに、外側遮蔽部が内側開口部の外側に完全に重なり、かつ、内側開口部の側部と隣接する外側開口部の側部とが連通して、連通孔が基板ボックスの内側から外側へクランク状に連通するので、内側から外側へ向かって直線状に開口する部分がなく、不正部材の挿入を防止できる。また、一体成形（食いきり）が可能であり、製造のコストが増加することがない。
【発明を実施するための最良の形態】
【００１４】
以下、この発明の実施形態について図面を参照して説明する。
ここでは、本発明にかかる遊技機の適例としてのパチンコ遊技機について図１から図６を用いて説明を行う。
【００１５】
図１に示すように、本実施形態の遊技機１００は、矩形枠状に構成された機枠１１０を備え、この機枠１１０の前方には、該機枠１１０に対し回動可能に矩形枠状の前面枠１２０が軸支されている。なお、図１は機枠１１０を有する遊技機１００全体の背面側を示している。
【００１６】
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠（図示略）と、クリア部材保持枠の下側に取り付けられた発射操作を行うための発射操作ユニット（図示略）とを有する。
【００１７】
前面枠本体１３０は、矩形枠状の機枠１１０の前面側をちょうど覆うような概略矩形板状に構成されるとともに、その中央から上端部にわたる部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００１８】
この前面枠本体１３０の遊技盤１が嵌め込まれた開口部、すなわち、前面枠本体１３０の中央より少し下側から上端部にわたる部分には、前面枠本体１３０の前側を覆うように図示しないクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
【００１９】
また、前面枠本体１３０の前面側のクリア部材保持枠の下側に取り付けられた発射操作ユニットは、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００２０】
また、前面枠本体１３０の裏面側には、遊技機１００としての諸機能を実現するための機構として、例えば、島設備より供給される遊技球を貯留する貯留タンク１０１や、球貸要求に応じた球排出や賞球排出を行う排出装置１０２や、遊技盤１に設けられた各種入賞口へ入賞して回収された遊技球や何れの入賞口にも入賞せずにアウト口から回収された遊技球を機外の回収球搬送路へ導く遊技球回収機構などが設けられている。また、遊技盤１に設けた遊技装置の動作制御などを行うことで遊技の進行を統括的に制御する遊技制御装置１０、球排出や打球の発射制御を行う排出・発射制御装置１０３、各部へ所定の電源を供給する電源装置１０４等が設けられている。なお、本実施形態における遊技制御装置１０は、遊技盤１の裏面下方部に装着される遊技盤裏面構成部材１０５に着脱可能に取り付けられている。
【００２１】
次に、遊技制御装置１０の詳細な構造について、図２から図６を参照して説明する。遊技制御装置１０は、遊技機１００の制御を行う遊技制御基板１１を基板ボックス１２に収納したものであって、遊技盤１の裏面側に取り付けられている。なお、遊技制御装置１０は遊技盤１の裏面に取り付けられ、該遊技盤１が前面枠本体１３０に取り付けられることで、遊技機１００の裏面側から視認可能に配されるようになっている。よって、以下の説明では、図１に示すように、遊技機１００の裏面側に配された遊技制御装置１０を遊技機１００の裏面側から見た状態を基準として、遊技機１００の裏面側から視認可能な面を前面（正面）、遊技盤１に取り付けられた側を後面とし、上下左右も遊技機１００の裏面側から見た状態での上下左右とする。
【００２２】
図４に示すように、遊技制御基板１１は矩形板状の基板であって、一側面には他の装置と接続するための複数のコネクタ１３，１３，…が設けられているとともに、ワンチップマイコン１４などの電子部品（一部を図示）が配されている。この遊技制御基板１１においては、例えば、大当たりの抽選や、遊技に関する種々の処理がなされるようになっており、このような制御を行う遊技制御基板１１に対する不正行為を防止するために、遊技制御基板１１は基板ボックス１２に収納されている。
【００２３】
遊技制御基板１１を収納する基板ボックス１２は、遊技制御装置１０の前面側を構成する第１ボックス形成部材２０と、後面側を構成する第２ボックス形成部材４０とからなり、第１ボックス形成部材２０と第２ボックス形成部材４０とを組み合わせることで形成される収納部に遊技制御基板１１を収納するようになっている。また、この第１ボックス形成部材２０と第２ボックス形成部材４０は固着手段６０によって固着可能であって、これにより、遊技制御基板１１が基板ボックス１２に完全に内包された状態となり、遊技制御基板１１に対する不正行為を防止するようになっている。さらに、この基板ボックス１２を構成する第１ボックス形成部材２０、第２ボックス形成部材４０は、透光性の合成樹脂で形成されており、内部に収納した遊技制御基板１１を視認可能となっている。
【００２４】
遊技制御装置１０の前面側を形成する第１ボックス形成部材２０は、遊技制御装置１０の前面をなす略矩形状の前面壁２１と、該前面壁２１の周囲を囲むように一側面側に垂直に突出し、遊技制御装置１０の前側の側面をなす前部周囲壁２２とを備えており、これら前面壁２１と前部周囲壁２２とから遊技制御基板１１を収納可能な凹室状の前方収納部を備えた略矩形箱状に形成されている。
【００２５】
この第１ボックス形成部材２０における遊技制御基板１１と対向する前面壁２１には、ここに収納される遊技制御基板１１のコネクタ１３，１３，…が設けられた部分に合わせて、開口側へ膨出する段部２４，２４，…が形成され、該段部２４，２４，…にはコネクタ挿通開口部２５，２５，…が設けられている。このコネクタ挿通開口部２５，２５，…には、基板ボックス１２に収納された遊技制御基板１１のコネクタ１３，１３，…が挿入されて遊技制御装置１０の前面側に露出するようになっており、これによって遊技制御基板１１への配線が可能となっている。
【００２６】
また、コネクタ１３，１３，…がコネクタ挿通開口部２５，２５，…に挿入されることで、遊技制御基板１１は上下左右方向への移動が規制されるようになり、さらには、段部２４，２４，…に遊技制御基板１１の前面が当接し、遊技制御基板１１の前方への移動が規制される。すなわち、この段部２４，２４，…およびコネクタ挿通開口部２５，２５，…は、第１ボックス形成部材２０に対する遊技制御基板１１の位置決めを行う機能も有する。なお、遊技制御基板１１に設けるコネクタ１３，１３，…は一部分に集中させないで、複数箇所に分散して設けられており、遊技制御基板１１が適切な位置に確実に保持されるようにされている。また、基板ボックス１２の壁面をなす前面壁２１には、基板ボックス１２の内部に籠る熱を外部に放出するための放熱部７０，７０が形成されている。なお放熱部７０，７０は、ワンチップマイコン１４の近傍には形成しないようにされている。この放熱部７０，７０の詳細については後述する。
【００２７】
また、矩形箱状の第１ボックス形成部材２０における前部周囲壁２２のうち、上下の前部周囲壁２２における外側の面には、前部周囲壁２２に対して垂直に外側に突出する直方体状のスライド係合部２６，２６，…が複数形成されている。このスライド係合部２６，２６，…は、後述する第２ボックス形成部材４０に形成されたスライド係合受部４６，４６，…に係合可能であり、これにより第１ボックス形成部材２０と第２ボックス形成部材４０とが接合されるようになっている。また、矩形箱状の第１ボックス形成部材２０における前部周囲壁２２のうち、左側の前部周囲壁２２における外側の面には、前部周囲壁２２に対して垂直に外側に突出する直方体状の挿入係合部２９（図３に図示）が形成されている。この挿入係合部２９は、後述する第２ボックス形成部材４０に形成された挿入係合受部４７，４７に挿入されることで係合し、これによっても第１ボックス形成部材２０と第２ボックス形成部材４０とが接合されるようになっている。
【００２８】
また、上側の前部周囲壁２２における外側の面には、第２ボックス形成部材４０に形成された係止片４８と係合可能な係止部２７ａを備える係止部材２７が設けられており、これによって第１ボックス形成部材２０と第２ボックス形成部材４０を接合した状態で保持できるようになっている。
【００２９】
また、図２，４に示すように、第１ボックス形成部材２０の右側の前部周囲壁２２には、外側に向かって膨出するかしめ部配設部２８が形成され、このかしめ部配設部２８の右側の側面に、複数（例えば４つ）のかしめ部３０，３０，…がそれぞれ第１ボックス形成部材２０から延設された連結部を介して設けられている。このかしめ部３０，３０，…には、ねじを挿通する挿通孔が前後に貫通するように形成されており、後述するように取り外し不可能な方法で第１ボックス形成部材２０と第２ボックス形成部材４０とを固着する固着手段６０を構成するものである。なお、このかしめ部配設部２８は、右側の前部周囲壁２２の略全面を右側に膨出するように形成されており、このかしめ部配設部２８の右側の側面が第１ボックス形成部材２０の右側の側面を形成している。
【００３０】
図３に示すように、遊技制御装置１０の後面側を形成する第２ボックス形成部材４０は、遊技制御装置１０の後面をなす略矩形状の後面壁４１と、該後面壁４１の周囲を囲むように一側面側に垂直に突出し、遊技制御装置１０の後ろ側の側面をなす後部周囲壁４２とを備えており、これら後面壁４１と後部周囲壁４２とから遊技制御基板１１を収納可能な凹室状の後方収納部４３を備えた略矩形箱状に形成されている。
【００３１】
この後方収納部４３は、前方収納部２３の後端部分を収容可能な大きさであって、これによって凹室状の前方収納部２３が閉鎖されて収納部が形成されるようになっている。より詳細には、後方収納部４３の内部空間の上下幅は前方収納部２３における上側の前部周囲壁２２の外周面から下側の前部周囲壁２２の外周面までの幅に略等しく、左右幅は前方収納部２３における右側の前部周囲壁２２の外周面から左側の前部周囲壁２２の外周面までの幅に、かしめ部配設部２８の左右幅を加えた幅に略等しい。すなわち、第２ボックス形成部材４０は、第１ボックス形成部材２０よりも後部周囲壁４２の厚みの分だけ一回り大きく形成されている。
【００３２】
また、後方収納部４３の底面をなす後面壁４１の前面には、上側の後部周囲壁４２と平行なリブ状の上部案内壁４４が形成され、上側の前部周囲壁２２が左右方向にスライド可能に嵌合するスライド溝が形成されている。また同様に、下側の後部周囲壁４２と平行なリブ状の下部案内壁４５が形成され、下側の前部周囲壁２２が左右方向にスライド可能に嵌合するスライド溝が形成されている。また、基板ボックス１２の壁面をなす後面壁４１には、基板ボックス１２の内部に籠る熱を外部に放出するための放熱部７０，７０，…が形成されている。この方熱部７０，７０，…の詳細については後述する。
【００３３】
また、上下の後部周囲壁４２における外側の面には、第１ボックス形成部材２０に形成されたスライド係合部２６，２６，…と対応する位置に、該スライド係合部２６，２６，…を受け入れるスライド係合受部４６，４６，…が形成されている。このスライド係合受部４６，４６，…は、上下の後部周囲壁４２に形成されたＬ字状のスリット４６ａと、該スリット４６ａが形成された部分の外側を覆うカバー部４６ｂとからなる。Ｌ字状のスリット４６ａは、後部周囲壁４２の前端に一端部が位置しており、ここから前後方向に沿って後方へ延在し、さらに直角に左方へ屈折して左右方向に沿って延在するように形成されている。そして、後部周囲壁４２の前端に位置する一端部が、スライド係合部２６を受け入れる受入部とされ、スリット４６ａの外側を覆うカバー部４６ｂにも、この部分に切欠状の開口が形成されている。
【００３４】
また、左側の後部周囲壁４２には、第１ボックス形成部材２０に形成された挿入係合部２９と対応する位置に、該挿入係合部２９を受け入れる挿入係合受部４７，４７が形成されている。この挿入係合受部４７，４７は、左側の後部周囲壁４２に挿入係合部を挿通可能な貫通孔４７ａを備えており、後述するように、第１ボックス形成部材２０と第２ボックス形成部材４０とを組み合わせた状態で第１ボックス形成部材２０を左方向へスライドすることにより、貫通孔４７ａに挿入係合部が挿入されるようになっている。
【００３５】
また、上側の後部周囲壁４２における外側の面には、第１ボックス形成部材２０に設けられた係止部２７ａと対応する位置に、係止片４８が形成されている。この係止片４８は、外側へ向かって突出する突条であって、右側面が左側へ向かって後部周囲壁４２からの突出量が増加する斜面とされ、左側面は後部周囲壁４２に対して垂直な面とされている。この係止片４８と係止部２７ａによって、後述するように、第１ボックス形成部材２０と第２ボックス形成部材４０とが接合した状態が保持される。
【００３６】
また、第２ボックス形成部材４０における右側の後部周囲壁４２の外周面には、第１ボックス形成部材２０に設けられたかしめ部３０，３０，…に対応するように複数（例えば４つ）のかしめ受部５０，５０，…が、それぞれ第２ボックス形成部材４０から延設された連結部４９，４９，…を介して設けられている。また、隣設するかしめ受部５０，５０，…の間にも連結部４９，４９，…が設けられ、隣設するかしめ受部５０，５０，…どうしも連結部４９，４９，…で連結されている。このかしめ受部５０，５０，…には、ねじ止め部が形成されており、後述するように取り外し不可能な方法で第１ボックス形成部材２０と第２ボックス形成部材４０とを固着する固着手段６０を構成するものである。
【００３７】
以上のような構成を有する基板ボックス１２は、図３に示すように、第１ボックス形成部材２０の前方収納部２３の開口と、第２ボックス形成部材４０の後方収納部４３の開口とが対向する向きで、間に遊技制御基板１１を挟んだ状態で接合される。この接合の際にはまず、第１ボックス形成部材２０のスライド係合部２６，２６，…を、第２ボックス形成部材４０のスライド係合受部４６，４６，…に嵌め込むようにする。これにより、前方収納部２３の後端部分が後方収納部４３に収容されるとともに、上下の前部周囲壁２２がスライド溝に嵌合する。
【００３８】
そしてこの状態で、第１ボックス形成部材２０を図示しない挿入係合部が形成された左方向へスライドさせることで、スライド係合部２６，２６，…とスライド係合受部４６，４６，…が係合するとともに、挿入係合部が挿入係合受部４７，４７に挿入されて係合した状態となる。これにより、第１ボックス形成部材２０と第２ボックス形成部材４０とが接合した状態となり、遊技制御基板１１は第１ボックス形成部材２０の前方収納部２３と第２ボックス形成部材４０の後方収納部４３から構成される収納部に収納された状態となる。
【００３９】
また、第１ボックス形成部材２０に設けられた係止部２７ａは、上述のように第１ボックス形成部材２０を左方向にスライドさせる過程で係止片４８の右側面の斜面に当接し、さらに左方向にスライドすることで、係止部材２７が弾性変形して係止部２７ａが係止片４８の斜面に沿って案内される。そして、係止部２７ａが係止片４８を乗り越えると、弾性変形していた係止部材２７が元の状態に復帰し、係止片４８の垂直な左端面に係止部２７ａが係止される。このように係止部２７ａが係止片４８を乗り越えた状態となるのは、ちょうど第１ボックス形成部材２０が第２ボックス形成部材４０と接合された状態となったときであって、この位置で係止部２７ａが係止されることで、第１ボックス形成部材２０と第２ボックス形成部材４０とが接合された状態で保持されることとなる。
なお、固着手段６０による固着を行う前であれば、係止部材２７を弾性変形させて係止片４８による係止部２７ａの係止状態を解除し、第１ボックス形成部材２０を右方向へスライドさせることで、第１ボックス形成部材２０と第２ボックス形成部材４０の接合状態を解除することができる。
【００４０】
このように第１ボックス形成部材２０と第２ボックス形成部材４０とが接合した状態では、固着手段６０をなすかしめ部３０，３０，…とかしめ受部５０，５０，…とが対向するように配され、固着可能な状態となる。この状態で、かしめ部３０，３０，…の挿通孔に挿通したかしめねじを対向するかしめ受部５０，５０，…のねじ止め部に螺合する。かしめねじは一方向（螺合方向）にしか廻せないワンウェイねじであり、一旦螺合すると取り外すことができないものであって、これにより、第１ボックス形成部材２０に設けられたかしめ部３０と、第２ボックス形成部材４０に設けられたかしめ受部５０が固着され、第１ボックス形成部材２０と第２ボックス形成部材４０が固着されるようになっている。
【００４１】
また、以上のように固着された第１ボックス形成部材２０と第２ボックス形成部材４０の固着を解除する場合は、第２ボックス形成部材４０および隣設するかしめ受部５０から固着に使用したかしめ受部５０を切り離すように連結部４９を切断する。すなわち、一度固着されたかしめ部３０とかしめ受部５０の固着を解除することができないので、基板ボックス１２を開封する際には、このように固着手段６０を不可逆的に破壊して開封する必要がある。これにより、基板ボックス１２が容易に開封できなくなるとともに開封された履歴が残るようになり、不正行為を防止できる。また、このように開封した後に再び固着する場合は、未使用のかしめ部３０とかしめ受部５０を用いて上述した固着作業を行う。
【００４２】
第１ボックス形成部材２０の壁面である前面壁２１および第２ボックス形成部材４０の壁面である後面壁４１に形成された放熱部７０は、基板ボックス１２の内側から外側へ連通する連通孔７１，７１，…が複数形成された矩形状の領域で、基板ボックス１２の内部に籠る熱を外部に放出するためのものである。なお、各放熱部７０は同じ構成を有しており、図５，６には第１ボックス形成部材２０の前面壁２１に形成された放熱部７０を示した。この放熱部７０には、基板ボックス１２の外側に設けられた外側遮蔽部７３，７３，…、基板ボックス１２の内側に設けられた内側遮蔽部７５，７５，…、内側遮蔽部７５，７５，…と外側遮蔽部７３，７３，…とを接続する連接部７７，７７，…が形成されている。
【００４３】
図５（ａ）に示すように、外側遮蔽部７３，７３，…は、基板ボックス１２の上下方向に沿って延在する棒状の部分で、放熱部７０に所定間隔をおいて平行に並ぶように複数条形成されている。そして、この平行に並ぶ複数条の外側遮蔽部７３，７３，…の間隙が、連通孔７１の外側部分をなすスリット状の外側開口部７４となる。また、各外側遮蔽部７３の外側部分は、図６（ｂ）、（ｄ）に示すように、基板ボックス１２の壁面である前面壁２１から壁面の厚さ方向に沿って外側へ延出するように形成されており、異物の侵入を防止する外側侵入防止壁７８をなしている。
【００４４】
また、図５（ｂ）に示すように、内側遮蔽部７５，７５，…は、外側遮蔽部７３，７３，…と同様に基板ボックス１２の上下方向に沿って延在する棒状の部分で、放熱部７０に所定間隔をおいて平行に並ぶように複数条形成されている。そして、この平行に並ぶ複数条の内側遮蔽部７５，７５，…の間隙が、連通孔７１の内側部分をなす内側開口部７６となる。また、各内側遮蔽部７５の内側部分は、図６（ｂ）、（ｄ）に示すように、基板ボックス１２の壁面である前面壁２１から壁面の厚さ方向に沿って内側へ延出するように形成されており、異物の侵入を防止する内側侵入防止壁７９をなしている。
【００４５】
このように、内側遮蔽部７５，７５，…に、内側へ延出する内側侵入防止壁７９，７９，…を形成するとともに、外側遮蔽部７３，７３，…に、外側へ延出する外側侵入防止壁７８，７８，…を形成することで、ピアノ線などの線材を斜めに侵入させる不正行為を防止するようになっている。なお、基板ボックス１２の壁面から遊技制御基板１１までの距離が十分ある場合は、図７（ａ）に示すように、内側侵入防止壁７９，７９，…の延出幅を大きくすることで、より確実に不正行為を防止できる。
【００４６】
また、図６（ｃ）、（ｆ）に示すように、連接部７７，７７，…は、上下方向に沿って延在する内側遮蔽部７５，７５，…および外側遮蔽部７３，７３，…に対して直交するように形成された棒状の部分で、外側遮蔽部７３の内側の内側開口部７６内に所定間隔をおいて平行に並ぶように複数条形成されている。よって、図５（ｂ）に示すように、内側開口部７６，７６，…は内側遮蔽部７５，７５，…と連接部７７，７７，…とで升目状になっている。このように連接部７７，７７，…により内側遮蔽部７５，７５，…と外側遮蔽部７３，７３，…とが接続されることで、連通孔７１，７１，の強度が高くなり、不正行為を防止できる。
【００４７】
図６（ｄ）、（ｈ）に示すように、内側遮蔽部７５，７５，…と外側遮蔽部７３，７３，…は、壁面の厚さ方向に重ならないように互い違いに配されており、各内側遮蔽部７５が各外側開口部７４の内側に完全に重なり、各外側遮蔽部７３が各内側開口部７６の外側に完全に重なるようになっている。すなわち、内側開口部７６，７６，…、外側開口部７４，７４，…はどちらも壁面である前面壁２１を貫通していない。また、内側遮蔽部７５，７５，…と外側遮蔽部７３，７３，…は、壁面の厚さ方向に離間しており、図６（ｄ）、（ｈ）、（ｇ）、（ｉ）に示すように、各内側開口部７６の外側の端部における側部と、各外側開口部７４の内側の端部における側部とが連通するようになっている。すなわち、内側開口部７６，７６，…と外側開口部７４，７４，…とが側部どうしで連通することで、連通孔７１，７１，…が基板ボックス１２の内側から外側へクランク状に連通することとなる。これにより、内側から外側へ向かって直線状に開口する部分がなく、通気性を損なうことなく不正部材の挿入を防止できる。また、放熱部７０がこのような構造であることで、基板ボックス１２の成形時に一体成形（食いきり）が可能であり、製造のコストが増加することがない。
【００４８】
以上のことから、遊技機１００の動作にかかわる電気的制御を実行するための電子部品（ワンチップマイコン１４）を実装した遊技制御基板１１を収納する基板ボックス１２を備える遊技機１００において、基板ボックス１２の壁面（前面壁２１、後面壁４１）には、内側から外側へ連通する連通孔７１，７１，…が形成された放熱部７０を備え、放熱部７０は、該放熱部７０における基板ボックス１２の内側に形成され、連通孔７１，７１，…の内側部分をなす複数のスリット状の内側開口部７６，７６，…を形成するように所定間隔をおいて並ぶ複数条の内側遮蔽部７５，７５，…と、該放熱部７０における基板ボックス１２の外側に形成され、連通孔７１，７１，…の外側部分をなす複数のスリット状の外側開口部７４，７４，…を形成するように所定間隔をおいて並ぶ複数条の外側遮蔽部７３，７３，…と、内側遮蔽部７５，７５，…及び外側遮蔽部７３，７３，…と直交するように接続し、所定間隔をおいて並ぶように複数条形成された連接部７７，７７，…と、を備え、内側遮蔽部７５，７５，…を外側開口部７４，７４，…の内側に完全に重なるように形成するとともに、外側遮蔽部７３，７３，…を内側開口部７６，７６，…の外側に完全に重なるように形成し、かつ、内側遮蔽部７５，７５，…と外側遮蔽部７３，７３，…とが壁面の厚さ方向に離間したこととなる。
【００４９】
また、内側遮蔽部７５，７５，…に、内側へ延出する内側侵入防止壁７９，７９，…を形成するとともに、外側遮蔽部７３，７３，…に、外側へ延出する外側侵入防止壁７８，７８，…を形成したこととなる。
【００５０】
次に、上述した実施形態の遊技機の変形例である、放熱部の変形例について図７（ｂ）を参照して説明する。なお、基本的には、上述の実施形態の遊技機と同様の構成を有しており、以下、主に異なる部分について説明する。本変形例の遊技機の放熱部８０は、放熱部８０の両端に位置する内側侵入防止壁７９，７９，…が、遊技制御基板１１の近傍まで延出している。また、遊技制御基板１１の放熱部８０と対向する部分が開口１５とされている。
【００５１】
遊技制御基板１１上にはワンチップマイコン１４など多数の電子部品が配されているため、遊技制御基板１１と基板ボックス１２の壁面である前面壁２１や後面壁４１は、所定の間隔をおいて配されている。本変形例の放熱部８０では、壁面と遊技制御基板１１との間隔に合わせて、基板ボックス１２の壁面から内側へ延出する内側侵入防止壁７９，７９，…のうち、放熱部８０の両端に位置する内側侵入防止壁を、壁面からの延出幅が壁面から遊技制御基板１１までの間隔と略等しくなるように形成している。また、連通孔７１，７１，…は遊技制御基板１１の近傍まで延出する放熱部８０の両端に位置する内側侵入防止壁７９，７９より外側には形成されていない。
【００５２】
これにより、放熱部８０の両端に位置する内側侵入防止壁７９，７９における延出方向の端部が、遊技制御基板１１の近傍に配されて壁面である前面壁２１と遊技制御基板１１との間隙を閉鎖し、連通孔７１，７１，…から不正部材が挿入されても、遊技制御基板１１の電子部品を操作できないようにすることができる。すなわち、内側侵入防止壁７９，７９，…のうち、放熱部８０の両端に位置する内側侵入防止壁７９，７９が、不正部材の挿入による遊技制御基板１１への不正行為を防止する内部壁をなす。
【００５３】
また、遊技制御基板１１は、放熱部８０と対向する部分が開口１５とされており、放熱部８０から線材を挿入されても遊技制御基板１１に影響が及ぶことがなく、より確実に不正行為を防止できる。また、開口１５となっていることで通気性が高まり、基板ボックス１２内の熱を効率よく放出することができる。
【００５４】
なお、放熱部８０の両端に位置する内側侵入防止壁を遊技制御基板の近傍まで延出するとしたが、不正行為の対象となる電子部品が配されている側のみを延出するようにしても良い。
また、遊技制御基板１１は放熱部８０と対向する部分が開口１５とされているとしたが、放熱部８０と対向する部分に不正行為の対象となる電子部品を配さないか、あるいは全く電子部品を配さないようにして不正行為を防止するようにしても良い。
【００５５】
以上のことから、放熱部８０の両端に位置する内側侵入防止壁７９，７９，…のうち、少なくとも一方が遊技制御基板１１の近傍まで延出したこととなる。
また、遊技制御基板１１は、放熱部８０と対向する部分が開口１５とされていることとなる。
【００５６】
以上のような遊技機１００は、遊技機１００の動作にかかわる電気的制御を実行するための電子部品（ワンチップマイコン１４）を実装した遊技制御基板１１を収納する基板ボックス１２を備える遊技機１００であって、基板ボックス１２の壁面（前面壁２１、後面壁４１）には、内側から外側へ連通する連通孔７１，７１，…が形成された放熱部７０を備え、放熱部７０は、該放熱部７０における基板ボックス１２の内側に形成され、連通孔７１，７１，…の内側部分をなす複数のスリット状の内側開口部７６，７６，…を形成するように所定間隔をおいて並ぶ複数条の内側遮蔽部７５，７５，…と、該放熱部７０における基板ボックス１２の外側に形成され、連通孔７１，７１，…の外側部分をなす複数のスリット状の外側開口部７４，７４，…を形成するように所定間隔をおいて並ぶ複数条の外側遮蔽部７３，７３，…と、内側遮蔽部７５，７５，…及び外側遮蔽部７３，７３，…と直交するように接続し、所定間隔をおいて並ぶように複数条形成された連接部７７，７７，…と、を備え、内側遮蔽部７５，７５，…を外側開口部７４，７４，…の内側に完全に重なるように形成するとともに、外側遮蔽部７３，７３，…を内側開口部７６，７６，…の外側に完全に重なるように形成し、かつ、内側遮蔽部７５，７５，…と外側遮蔽部７３，７３，…とが壁面の厚さ方向に離間している。
【００５７】
したがって、放熱部７０は、内側にスリット状の内側開口部７６，７６，…を形成する内側遮蔽部７５，７５，…と、外側にスリット状の外側開口部７４，７４，…を形成する外側遮蔽部７３，７３，…と、内側遮蔽部７５，７５，…及び外側遮蔽部７３，７３，…と直交する連接部７７，７７，…と、を備え、内側遮蔽部７５，７５，…が外側開口部７４，７４，…の内側に完全に重なるとともに、外側遮蔽部７３，７３，…が内側開口部７６，７６，…の外側に完全に重なり、かつ、内側遮蔽部７５，７５，…と外側遮蔽部７３，７３，…とが壁面の厚さ方向に離間しているので、基板ボックス１２の放熱を効率よく確実に行えるとともに、不正行為を確実に防止できる。すなわち、内側開口部７６，７６，…の側部と隣接する外側開口部７４，７４，…の側部とが連通して、連通孔７１，７１，…が基板ボックス１２の内側から外側へクランク状に連通するので、内側から外側へ向かって直線状に開口する部分がなく、不正部材の挿入を防止できる。また、連接部７７，７７，…により内側遮蔽部７５，７５，…と外側遮蔽部７３，７３，…とが接続されるので、連通孔７１，７１，…が升目状となり、強度が高くなる。また、一体成形（食いきり）が可能であり、製造のコストが増加することがない。
【００５８】
また、内側遮蔽部７５，７５，…に、内側へ延出する内側侵入防止壁７９，７９，…を形成するとともに、外側遮蔽部７３，７３，…に、外側へ延出する外側侵入防止壁７８，７８，…を形成している。
【００５９】
したがって、内側遮蔽部７５，７５，…に、内側へ延出する内側侵入防止壁７９，７９，…を形成するとともに、外側遮蔽部７３，７３，…に、外側へ延出する外側侵入防止壁７８，７８，…を形成したので、ピアノ線などの線材を斜めに侵入させる行為を防止できる。
【００６０】
また、放熱部８０の両端に位置する内側侵入防止壁７９，７９，…のうち、少なくとも一方が遊技制御基板１１の近傍まで延出している。
【００６１】
したがって、放熱部８０の両端に位置する内側侵入防止壁７９，７９，…のうち、少なくとも一方が遊技制御基板１１の近傍まで延出しているので、螺旋状に曲げた線材などを不正に侵入させる行為を防止できる。
【００６２】
また、遊技制御基板１１は、放熱部８０と対向する部分が開口１５とされている。
【００６３】
したがって、遊技制御基板１１は、放熱部８０と対向する部分が開口１５とされているので、放熱部８０から線材を挿入されても遊技制御基板１１に影響が及ぶことがなく、不正に操作されることがない。また、通気性が高まり、効率よく放熱することができる。
【００６４】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００６５】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明を適用した一実施の形態の構成を示す遊技機の裏面図である。
【図２】遊技制御装置の前面側から見た斜視図である。
【図３】遊技制御装置の裏面側から見た斜視図である。
【図４】遊技制御装置の前面側から見た分解斜視図である。
【図５】放熱部を示す図であって、（ａ）前面側（外側）から見た斜視図、（ｂ）裏面側（内側）から見た斜視図である。
【図６】（ａ）放熱部の正面図、（ｂ）放熱部の上面図、（ｃ）（ａ）に示すｃ−ｃ断面図、（ｄ）（ａ）に示すｄ−ｄ断面図、（ｅ）放熱部の側面図、（ｆ）（ａ）に示すｆ−ｆ断面図、（ｇ）（ａ）に示すｇ−ｇ断面図、（ｈ）（ｄ）の部分拡大図、（ｉ）（ｇ）の部分拡大図である。
【図７】（ａ）放熱部の上部断面図であって、内側侵入防止壁の延出幅を大きくした例を示す図である。（ｂ）変形例にかかる遊技機の遊技制御装置における放熱部が設けられた部分の上部断面図である。
【符号の説明】
【００６７】
１１    遊技制御基板
１２    基板ボックス
１５    開口
２１    前面壁（壁面）
４１    後面壁（壁面）
７０    放熱部
７１    連通孔
７３    外側遮蔽部
７４    外側開口部
７５    内側遮蔽部
７６    内側開口部
７７    連接部
７８    外側侵入防止壁
７９    内側侵入防止壁
８０    放熱部
１００  遊技機
【図１】
2008307170.tif 000003
【図２】
2008307170.tif 000004
【図３】
2008307170.tif 000005
【図４】
2008307170.tif 000006
【図５】
2008307170.tif 000007
【図６】
2008307170.tif 000008
【図７】
2008307170.tif 000009